(57)【要約】【課題】表示内容を無電源で保持する機能を有する情報表示装置において、セキュリティ機能の高い情報表示装置を提供する。【解決手段】表示内容を無電源で保持可能な媒体を有する表示手段と、表示手段の変位状態を検知する検知手段と、検知手段の検知結果に基づいて表示手段への衝撃を予測する予測手段と、予測手段の予測結果に基づいて表示手段の動作を制御する制御手段と、を有し、制御手段は、予測手段により表示手段への衝撃が予測された場合、前記表示手段に表示されている表示内容を消去する。【選択図】図２
2009162804.tif 000002
【特許請求の範囲】
【請求項１】
表示内容を無電源で保持可能な媒体を有する表示手段と、
前記表示手段の変位状態を検知する検知手段と、
前記検知手段の検知結果に基づいて前記表示手段への衝撃を予測する予測手段と、
前記予測手段の予測結果に基づいて前記表示手段の動作を制御する制御手段と、を有し、
前記制御手段は、前記予測手段により前記表示手段への衝撃が予測された場合、前記表示手段に表示されている表示内容を消去することを特徴とする情報表示装置。
【請求項２】
前記検知手段は、前記表示手段に生じた加速度を検知する加速度センサを有することを特徴とする請求項１に記載の情報表示装置。
【請求項３】
前記検知手段は、前記表示手段に生じた歪みを検知する歪みセンサを有することを特徴とする請求項１または２に記載の情報表示装置。
【請求項４】
前記制御手段は、前記予測手段により前記表示手段への衝撃が予測された場合、前記表示手段の表示画面の全面を白または黒に塗りつぶして前記表示内容を消去することを特徴とする請求項１乃至３のいずれか１項に記載の情報表示装置。
【請求項５】
前記媒体は、少なくとも強誘電性液晶表示素子、反強誘電性液晶表示素子、強誘電性高分子液晶表示素子、コレステリック液晶表示素子、エレクトロクロミック表示素子、電気泳動セルを用いた表示素子、粒子移動型表示素子、銀の析出と溶解により表示を行う表示素子、ツイストボールを用いた表示素子のいずれかであることを特徴とする請求項１乃至４のいずれか１項に記載の情報表示装置。
【発明の詳細な説明】
【技術分野】
【０００１】
本発明は、情報表示装置に関し、特に表示内容を無電源で保持する機能を有した情報表示装置に関する。
【背景技術】
【０００２】
近年、パーソナルコンピュータやインターネット、携帯端末等が急速に普及するに伴い、通信ネットワークを介して新聞、書籍等の電子化された情報を入手して表示する情報表示装置への要望が高まっている。電子情報は、具体的にはＬＣＤ（Ｌｉｑｕｉｄ  Ｃｒｙｓｔａｌ  Ｄｉｓｐｌａｙ）やＥＬ（Ｅｌｅｃｔｒｏ  Ｌｕｍｉｎｅｓｃｅｎｃｅ）等のディスプレイに表示され、人間は、これらの情報表示装置を介して多くの情報を取得し、処理している。そのため、人間と情報のインターフェイスである情報表示装置は、より高精度化、省電力化、小型化を目指して開発が進められている。
【０００３】
このような情報表示装置において、現在、紙の利点とディスプレイの利点を兼ね備え、表示内容を無電源で保持する機能（メモリ性）を有したカイラルネマティック液晶等の表示媒体を用いた所謂電子ペーパーを搭載した情報表示装置が研究、開発されている（例えば、特許文献１参照）。電子ペーパーは、電気的に書換可能であり、一度表示された情報は電力を必要とせずに保持され、目への刺激が少ない等の特徴を具備したものである。この為、電子ペーパーは、バッテリーサイズが小さく、携帯性に優れた情報表示装置を実現することができる。
【特許文献１】特開２００２−１６３２５７号公報
【発明の開示】
【発明が解決しようとする課題】
【０００４】
ところで、ディスプレイの基材には、通常、ガラスが用いられている。この為、落下による衝撃や曲げ（歪み）に対して弱く破損する恐れがある。ディスプレイの表示媒体として電子ペーパを用いた場合、破損した場合にも表示内容が保持されるので、表示内容が個人情報や社外秘等の情報である場合には、秘密情報が流出してしまう恐れがある。例えば、破損の修理を依頼した場合等、秘密情報が流出する危険性が高くなるという問題がある。
【０００５】
本発明は、上記課題を鑑みてなされたもので、表示内容を無電源で保持する機能を有する情報表示装置において、セキュリティ機能の高い情報表示装置を提供することを目的とする。
【課題を解決するための手段】
【０００６】
上記目的は、下記の１乃至５のいずれか１項に記載の発明によって達成される。
【０００７】
１．表示内容を無電源で保持可能な媒体を有する表示手段と、
前記表示手段の変位状態を検知する検知手段と、
前記検知手段の検知結果に基づいて前記表示手段への衝撃を予測する予測手段と、
前記予測手段の予測結果に基づいて前記表示手段の動作を制御する制御手段と、を有し、
前記制御手段は、前記予測手段により前記表示手段への衝撃が予測された場合、前記表示手段に表示されている表示内容を消去することを特徴とする情報表示装置。
【０００８】
２．前記検知手段は、前記表示手段に生じた加速度を検知する加速度センサを有することを特徴とする前記１に記載の情報表示装置。
【０００９】
３．前記検知手段は、前記表示手段に生じた歪みを検知する歪みセンサを有することを特徴とする前記１または２に記載の情報表示装置。
【００１０】
４．前記制御手段は、前記予測手段により前記表示手段への衝撃が予測された場合、前記表示手段の表示画面の全面を白または黒に塗りつぶして前記表示内容を消去することを特徴とする前記１乃至３のいずれか１項に記載の情報表示装置。
【００１１】
５．前記媒体は、少なくとも強誘電性液晶表示素子、反強誘電性液晶表示素子、強誘電性高分子液晶表示素子、コレステリック液晶表示素子、エレクトロクロミック表示素子、電気泳動セルを用いた表示素子、粒子移動型表示素子、銀の析出と溶解により表示を行う表示素子、ツイストボールを用いた表示素子のいずれかであることを特徴とする前記１乃至４のいずれか１項に記載の情報表示装置。
【発明の効果】
【００１２】
本発明によれば、制御手段は、予測手段により表示手段への衝撃が予測された場合、表示手段に表示されている表示内容を消去する構成とした。したがって、例えば、情報表示装置の落下や外部からの負荷等により表示手段の破損が予測された場合、表示手段が破損する前に、表示手段に表示されている表示内容を消去することができる。これにより、表示手段が破損に至った場合でも、表示手段に表示されていた表示内容は消去されていることから情報の流失を防止することができ、セキュリティ機能を高めることができる。
【発明を実施するための最良の形態】
【００１３】
以下図面に基づいて、本発明に係る情報表示装置の実施の形態を説明する。尚、本発明を図示の実施の形態に基づいて説明するが、本発明は該実施の形態に限られない。
【００１４】
最初に、情報表示装置の構成を図１、図２を用いて説明する。図１は、本発明の実施形態に係る情報表示装置１の外観正面図、図２は、本発明の実施形態に係る情報表示装置１の機能的概略の一例を示すブロック図である。
【００１５】
情報表示装置１は、図１、図２に示すように、ＣＰＵ１０１、ＲＯＭ１０２、ＲＡＭ１０３、表示ドライバ１０４、表示部１０５、３軸加速度センサ１０６、操作部１０８、及び無線通信部１０９等を有する。情報表示装置１は、図示しない通信ネットワークを介して受信したデータベース内の社内文書等の電子化された情報を表示部１０５に表示する情報表示携帯端末である。
【００１６】
表示部１０５は、本発明における表示手段として機能し、例えば、特開平１０−３２４１５５号公報に記載されている強誘電性液晶から構成される表示装置のように、表示内容を無電源で保持する機能（メモリ性）を有した所謂電子ペーパと称される表示媒体である。電子ペーパは、情報を電気的に書換えることができ、情報の書換え時のみ電力を消費する一方、書換えが終了した後には電力を消費することなく情報を表示させておくことが可能であり、消費電力を抑制することができる。表示部１０５は、図示しない通信ネットワークを介して無線通信部１０９で受信したデータベース内の社内文書等の電子化された情報を表示する。
【００１７】
この様なメモリ性を有する表示媒体としては、前述の強誘電性液晶表示素子の他、例えば、反強誘電性液晶素子、強誘電性高分子液晶表示素子、室温でコレステリック液晶相を示すカイラルネマティック液晶等を用いたコレステリック液晶表示素子、エレクトロクロミック表示素子、電気泳動セルを用いた表示素子、乾式粉体を基板内に封入し電界で移動させて表示を行う粒子移動型表示素子、銀の析出と溶解により表示を行う表示素子、ツイストボールを用いた表示素子等を利用して構成することも可能である。
【００１８】
表示ドライバ１０４は、表示部１０５に再生表示される画像を構成する画像信号のバッファメモリを備えた表示部１０５の駆動回路である。
【００１９】
ＲＯＭ（Ｒｅａｄ  Ｏｎｌｙ  Ｍｅｍｏｒｙ）１０２は、ＣＰＵ１０１で実行される各種制御プログラム等を記憶する。
【００２０】
ＲＡＭ（Ｒａｎｄｏｍ  Ａｃｃｅｓｓ  Ｍｅｍｏｒｙ）１０３は、演算処理や制御処理等の作業データを一時的に格納する。
【００２１】
無線通信部１０９は、通常無線ＬＡＮと称される無線通信デバイスで構成され、図示しない通信ネットワークを介してデータベース内の社内文書等の電子化された情報を受信する。尚、無線通信手段としては、ＢｌｕｅｔｏｏｔｈやワイヤレスＵＳＢ、また、低消費電力型のデバイスが好適である。
【００２２】
操作部１０８は、電源スイッチ１０８ａや各種操作・設定を行う十字キー１０８ｂ等を備えたスイッチ群である。
【００２３】
３軸加速度センサ１０６は、本発明における検知手段として機能し、３軸（Ｘ、Ｙ、Ｚ軸）上のそれぞれに加えられる加速度の変動を検知する。
【００２４】
ＣＰＵ１０１は、操作部１０８や３軸加速度センサ１０６からの信号を受けて、表示動作や画像信号処理、及び外部との情報の送受信動作を統括的に制御する。
【００２５】
また、ＣＰＵ１０１は、３軸加速度センサ１０６により取得された加速度情報を解析し、情報表示装置１（または表示部１０５）の筐体の傾き、移動及び回転の速度や加速度を計算する。そしてこれらの計算結果に基づき、現在、情報表示装置１が落下状態であるか否かの判断（衝撃予測）を行い、その予測結果に基づいて表示部１０５の動作を制御する。具体的には、ＣＰＵ１０１は、現在、情報表示装置１が落下状態であり、近い将来、表示部１０５が衝撃により破損する危険を予測した場合、表示部１０５の表示画面の全面を、例えば、白または黒に塗りつぶす（リセットする）ことにより表示されている内容を消去する。このようにＣＰＵ１０１は、本発明における制御手段及び予測手段として機能するものである。尚、ＣＰＵ１０１で行われる衝撃予測の詳細は、例えば、特開２００４−１４６０３６号公報に開示されている周知の方法を用いることができる。
【００２６】
次に、このような構成の情報表示装置１で行われる表示内容の消去動作の流れを図４を用いて説明する。図４は、表示消去動作の流れの一例を示すフローチャートである。
【００２７】
最初に、ＣＰＵ１０１は、３軸加速度センサ１０６により検知された加速度情報を取得する（ステップＳ１１）。次に、ＣＰＵ１０１は、前述の特開２００４−１４６０３６号公報に開示されている衝撃予測方法に準拠して取得した加速度情報を解析し、現在、情報表示装置１が落下状態であるか否かの判断（衝撃予測）を行う（ステップＳ１２）。情報表示装置１が落下状態であり、近い将来、表示部１０５が衝撃により破損すると判断した場合（ステップＳ１３；Ｙｅｓ）、ＣＰＵ１０１は、表示ドライバ１０４を制御し、表示部１０５の表示画面の全面を、白または黒に塗りつぶすことにより表示されている内容を消去する（ステップＳ１４）。
【００２８】
このように本発明の実施形態に係る情報表示装置１においては、ＣＰＵ１０１が、近い将来、表示部１０５への衝撃の発生を予測した場合、表示部１０５に表示されている表示内容を消去する構成とした。したがって、例えば、ＣＰＵ１０１が、情報表示装置１の落下等による表示部１０５の破損を予測した場合、表示部１０５が破損する前に、表示部１０５に表示されている表示内容を消去することができる。これにより、表示部１０５が破損に至った場合でも、表示部１０５に表示されていた表示内容は消去されていることから情報の流失を防止することができ、セキュリティ機能を高めることができる。
【００２９】
尚、前述の実施形態に係る情報表示装置１においては、検知手段として、表示部１０５の３軸（Ｘ、Ｙ、Ｚ軸）上のそれぞれに加えられる加速度の変動を検知する３軸加速度センサ１０６を用いたが、図３に示すように、３軸加速度センサ１０６の代わりに情報表示装置１（または表示部１０５）への曲げ等の負荷による歪みを検知する歪みセンサ１０７を備える構成としてもよい。尚、図３は、本発明の実施形態に係る情報表示装置１の機能的概略の他の例を示すブロック図である。
【００３０】
歪みセンサ１０７は、圧電素子で形成され、曲げ等の負荷による電圧の変化から情報表示装置１（または表示部１０５）に発生する歪みを検知する。
【００３１】
このような構成の情報表示装置１で行われる表示内容の消去動作の流れを図５を用いて説明する。図５は、表示消去動作の流れの他の例を示すフローチャートである。
【００３２】
最初に、ＣＰＵ１０１は、歪みセンサ１０７により検知された歪み情報を取得する（ステップＳ２１）。次に、ＣＰＵ１０１は、取得した歪み情報を解析し、予め設定しておいた表示部１０５が破損に至るよりも小さい所定の閾値と比較する（ステップＳ２２）。取得した歪みが予め設定しておいた閾値を上まわる場合（ステップＳ２３；Ｙｅｓ）、ＣＰＵ１０１は、表示部１０５が破損する恐れがあることから、表示ドライバ１０４を制御し、表示部１０５の表示画面の全面を、白または黒に塗りつぶすことにより表示されている内容を消去する（ステップＳ２４）。
【００３３】
以上、本発明を実施の形態を参照して説明してきたが、本発明は前述の実施の形態に限定して解釈されるべきでなく、適宜変更、改良が可能であることは勿論である。例えば、前述の実施の形態においては、検知手段として、３軸加速度センサ１０６、または歪みセンサ１０７を備える構成としたが、両方のセンサを備え、ＣＰＵ１０１は、２つのセンサの検知結果に基づいて、表示部１０５の動作を制御する構成としてもよい。これにより、落下や曲げ等の種々の衝撃を予測することができ、セキュリティ機能をさらに高めることができる。
【図面の簡単な説明】
【００３４】
【図１】本発明の実施形態に係る情報表示装置の外観正面図である。
【図２】情報表示装置の機能的概略の一例を示すブロック図である。
【図３】情報表示装置の機能的概略の他の例を示すブロック図である。
【図４】表示消去動作の流れの一例を示すフローチャートである。
【図５】表示消去動作の流れの他の例を示すフローチャートである。
【符号の説明】
【００３５】
１  情報表示装置
１０１  ＣＰＵ
１０２  ＲＯＭ
１０３  ＲＡＭ
１０４  表示ドライバ
１０５  表示部
１０６  ３軸加速度センサ
１０７  歪みセンサ
１０８  操作部
１０８ａ  電源スイッチ
１０８ｂ  十字キー
１０９  無線通信部
【図１】
2009162804.tif 000003
【図２】
2009162804.tif 000004
【図３】
2009162804.tif 000005
【図４】
2009162804.tif 000006
【図５】
2009162804.tif 000007